【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  主擬似ランダムビットシーケンスを発生させるための方法であって、前記主擬似ランダムビットシーケンスは隣接した複数のＰサブシーケンスを含み、前記各Ｐサブシーケンスは、予め定められた長さの開始シーケンスを含み、前記開始シーケンスには後続ビットのシーケンスが後続し、前記方法は、
（ａ）  特定のルールに準拠してＰサブシーケンスの各発生シーケンスからフィードバックビットを導出するステップを含み、前記発生シーケンスは、前記開始シーケンスと同じ長さを有する、Ｐサブシーケンスの、隣接したビットのシーケンスであり、前記発生シーケンスに後続するビットは、前記発生シーケンスの後続ビットと呼ばれ、さらに
（ｂ）  前記Ｐサブシーケンスを修飾する際に用いられる１つまたはそれ以上の修飾子ビットのシーケンスを決定するステップと、
（ｃ）  前記１またはそれ以上の修飾子ビットを利用して前記Ｐサブシーケンスを修飾するステップとを含む、方法。
【請求項２】  前記ステップ（ｃ）が、
前記特定のルールに準拠して、前記後続ビットとして前記フィードバックビットまたは修飾子ビットのいずれかを選択するステップを含み、前記後続ビットは、前記フィードバックビットが導出される発生シーケンスの直後にある、請求項１に記載の方法。
【請求項３】  前記主擬似ランダムビットシーケンスが、前記フィードバックビットが常に前記後続ビットとして選択される場合に、反復するｍシーケンスである、請求項２に記載の方法。
【請求項４】  前記主擬似ランダムビットシーケンスが、前記フィードバックビットが常に前記後続ビットとして選択された場合に、反復する複数のｍシーケンスのモジュロ２和である、請求項２に記載の方法。
【請求項５】  前記ステップ（ａ）において、前記発生シーケンスのフィードバックビットが、前記発生シーケンスにおける２つまたはそれ以上のビットのモジュロ２和である、請求項２に記載の方法。
【請求項６】  前記ステップ（ｂ）において、前記Ｐサブシーケンスにおいて後続ビットとして用いられる１つまたはそれ以上の修飾子ビットのシーケンスの決定が、先行するＰサブシーケンスの統計に基づく、請求項２に記載の方法。
【請求項７】  前記ステップ（ｂ）が、
（ｂ１）前記開始シーケンスおよび前記Ｐサブシーケンスにおけるフィードバックビッ
トである後続ビットの「０」および「１」の差を決定するステップと、
（ｂ２）１つまたはそれ以上の修飾子ビットのシーケンスを決定するステップとを含み、前記修飾子ビットのシーケンスの「０」および「１」の差は、前記ステップ（ｂ１）で決定された差の負の値である、請求項２に記載の方法。
【請求項８】  前記ステップ（ｃ）において、前記フィードバックビットが、前記開始シーケンスの最後から最終シーケンスの最後までの後続ビットとして排他的に用いられ、前記修飾子ビットが、前記最終シーケンスの最後から前記次の開始シーケンスの最初までの後続ビットとして排他的に用いられ、前記最終シーケンスは、前記開始シーケンスと同じ長さを有する予め定められたシーケンスである、請求項２に記載の方法。
【請求項９】  前記ステップ（ｃ）において、前記修飾子ビットのすべてまたは一部分は、前記開始シーケンスの最後から前記最終シーケンスの最後までの後続ビットであり、前記最終シーケンスの最後において後続ビットとして未使用である前記修飾子ビットのすべての部分は、前記最終シーケンスの最後と前記次の開始シーケンスの最初との間の後続ビットであり、前記最終シーケンスは、前記開始シーケンスと同じ長さを有する予め定められたシーケンスである、請求項２に記載の方法。
【請求項１０】  前記ステップ（ｃ）において、前記修飾子ビットのすべてまたは一部分が、前記開始シーケンスの最後から前記最終シーケンスの最後までの間に、擬似ランダム間隔をおいて後続ビットとして挿入される、請求項９に記載の方法。
【請求項１１】  前記ステップ（ｂ）において、前記１つまたはそれ以上の修飾子ビットのシーケンスが第２の擬似ランダムビットシーケンスであり、前記ステップ（ｂ）は、
（ｂ１）隣接した複数のＳサブシーケンスを含む第２の擬似ランダムビットシーケンスを発生するステップを含み、前記各Ｓサブシーケンスは、予め定められた長さの開始シーケンスを含み、前記開始シーケンスには後続ビットのシーケンスが後続し、前記Ｓサブシーケンスにおける各発生シーケンスからのフィードバックビットは、特定のルールに準拠して導出され、前記発生シーケンスは、前記開始シーケンスと同じ長さを有する、前記Ｓサブシーケンスにおける隣接したビットのシーケンスであり、前記発生シーケンスに後続するビットは、前記発生シーケンスの後続ビットと呼ばれ、さらに
（ｂ２）前記Ｓサブシーケンスを修飾する際に用いられる１つまたはそれ以上の修飾子ビットのシーケンスを決定するステップと、
（ｂ３）前記１つまたはそれ以上の修飾子ビットを利用して前記Ｓサブシーケンスを修飾するステップとを含む、請求項１に記載の方法。
【請求項１２】  前記第２の擬似ランダムビットシーケンスが、前記フィードバックビットが常に後続ビットとして選択される場合に、反復する複数のｍシーケンスである、請求項１１に記載の方法。
【請求項１３】  前記第２の擬似ランダムビットシーケンスが、前記フィードバックビットが常に後続ビットとして選択される場合に、反復する複数のｍシーケンスのモジュロ２和である、請求項１１に記載の方法。
【請求項１４】  前記ステップ（ｂ１）において、前記発生シーケンスのフィードバックビットが、前記発生シーケンスの２つまたはそれ以上のビットのモジュロ２和である、請求項１１に記載の方法。
【請求項１５】  前記ステップ（ｂ２）において、前記Ｓサブシーケンスにおける後続ビットとして用いられる１つまたはそれ以上の修飾子ビットのシーケンスの決定が、先行する前記Ｓサブシーケンスの統計に基づいて行なわれる、請求項１１に記載の方法。
【請求項１６】  前記ステップ（ｂ２）が、
（ｂ２ａ）  前記開始シーケンスおよび前記Ｓサブシーケンスにおけるフィードバックビットである前記後続ビットの「０」および「１」の差を決定するステップと、
（ｂ２ｂ）  １つまたはそれ以上の修飾子ビットのシーケンスを決定するステップとを含み、前記修飾子ビットのシーケンスにおける「０」および「１」の差は、前記ステップ（ｂ２ａ）において決定された差の負の値である、請求項１１に記載の方法。
【請求項１７】  前記ステップ（ｂ３）において、前記フィードバックビットが、前記開始シーケンスの最後から前記最終シーケンスの最後までの後続ビットとして排他的に用いられ、前記修飾子ビットが、前記最終シーケンスの最後から前記次の開始シーケンスの最初までの後続ビットとして排他的に用いられ、前記最終シーケンスは、前記開始シーケンスと同じ長さを有する予め定められたシーケンスである、請求項１１に記載の方法。
【請求項１８】  前記ステップ（ｂ３）において、前記修飾子ビットのすべてまたは一部分が、前記開始シーケンスの最後から前記最終シーケンスの最後までの後続ビットであり、前記最終シーケンスの最後における後続ビットとして未使用の前記修飾子ビットのすべての部分は、前記最終シーケンスの最後と前記次の開始シーケンスの最初との間の後続ビットであり、前記最終シーケンスは、前記開始シーケンスと同じ長さを有する予め定められたシーケンスである、請求項１１に記載の方法。
【請求項１９】  前記ステップ（ｂ３）において、前記修飾子ビットのすべてまたは一部分が、前記開始シーケンスの最後から前記最終シーケンスの最後までの後続ビットとして用いられ、前記修飾子ビットは、前記最終シーケンスの最後より前において擬似ランダム間隔で後続ビットとして挿入される、請求項１８に記載の方法。
【請求項２０】  前記ステップ（ｂ）において、前記１つまたはそれ以上の修飾子ビットのシーケンスが第２の擬似ランダムビットシーケンスであり、前記ステップ（ｃ）は、
前記第２の擬似ランダムビットシーケンスの次の各ビットであるモジュロ２を、前記主擬似ランダムビットシーケンスの次の各Ｐサブシーケンスに加えるステップを含む、請求項１に記載の方法。
【請求項２１】  （ｄ）  予め定められた体積のスペースを囲む媒体中に光ビームを伝搬させるステップと、
（ｅ）  前記主擬似ランダムビットシーケンスによって前記光ビームを変調するステップと、
（ｆ）  前記媒体の回転を決定するために前記ステップ（ｅ）が施された前記光ビームを処理するステップとをさらに含む、請求項１に記載の方法。
【請求項２２】  請求項１に記載の方法を実施するための装置。
【請求項２３】  主擬似ランダムビットシーケンスを発生させるための装置であって、
主分析シーケンスにアクセスする主ビットシーケンス分析器を含み、前記主分析シーケンスは、主ビットシーケンスからの最新の複数のビットであり、前記主ビットシーケンスは、隣接した複数のＰサブシーケンスを含み、前記各Ｐサブシーケンスは開始シーケンスで始まり、前記主ビットシーケンス分析器は、前記主分析シーケンスからフィードバックビットを導出し、前記装置はさらに、
前記主ビットシーケンス分析器に、前記主分析シーケンスに後続する後続ビットを与えるためのシーケンスの修飾装置を含み、前記後続ビットは、前記主ビットシーケンス分析器によって導出された前記フィードバックビットまたは修飾子ビットのいずれかであり、前記修飾子ビットは、前記シーケンス修飾装置に格納された予め定められたビットまたは前記シーケンス修飾装置によって導出されたビットである、装置。
【請求項２４】  前記主ビットシーケンスが、前記シーケンス修飾装置が前記後続ビットとして前記フィードバックビットを連続して与える場合に、反復するｍシーケンスである、請求項２３に記載の装置。
【請求項２５】  前記主ビットシーケンスが、前記シーケンス修飾装置が前記後続ビットとして前記フィードバックビットを連続して与える場合に、複数の反復する複数のｍシーケンスのモジュロ２和である、請求項２３に記載の装置。
【請求項２６】  前記主ビットシーケンス分析器が、
前記主分析シーケンスを格納するためのシフトレジスタを含み、前記シフトレジスタは、前記シーケンス修飾装置からの後続ビットを受け、前記シフトレジスタの内容がシフトされたときに前記シフトレジスタの第１の段にそれを入れるための入力ポートと、前記シ
フトレジスタの最後の段の内容を読出すための出力ポートとを有し、前記主分析シーケンスのうち最も古いビットは前記出力ポートで利用可能であり、前記装置はさらに、
前記シーケンス修飾装置に与えられるフィードバックビットを発生するためのフィードバックビット発生器を含み、前記フィードバックビットは、前記シフトレジスタの内容から導出され、さらに
最終シーケンスが前記シフトレジスタにおいて検出されたときに最終シーケンスの警告を発生する最終シーケンス検出器を含む、請求項２３に記載の装置。
【請求項２７】  前記シフトレジスタが並列入力ポートを有し、前記シーケンス修飾装置は、前記シフトレジスタに前記開始シーケンスの並列入力を行ない、その後前記後続ビットのシーケンスの直列入力を行ない、前記後続ビットのシーケンスの各々は、前記最終シーケンスの警告が起こる前のフィードバックビットである、請求項２６に記載の装置。
【請求項２８】  前記最終シーケンスの警告が起こった後の前記後続ビットが、０またはそれ以上の修飾子ビットのシーケンスであり、前記シーケンス修飾装置は、前記０またはそれ以上の修飾子ビットのシーケンスの後に、前記シフトレジスタに前記開始シーケンスを入れる、請求項２６に記載の装置。
【請求項２９】  前記シーケンス修飾装置が、前記修飾子後続ビットのシーケンスの一部分またはすべてを、連続して、または間に前記フィードバック後続ビットを散在させて、前記最終シーケンスの警告が起こる前に前記シフトレジスタに給送し、前記最終シーケンスの警告が起こった後に残る前記修飾子後続ビットのシーケンスのすべての部分は、前記最終シーケンスの警告後に前記シフトレジスタに連続して給送される、請求項２６に記載の装置。
【請求項３０】  前記シーケンス修飾装置が、前記最終シーケンスの警告の前に前記シフトレジスタにフィードバック後続ビットのみを給送し、前記最終シーケンスの警告の後には前記シフトレジスタに修飾子後続ビットのみを給送し、前記開始シーケンスおよび前記サブシーケンスにおける前記フィードバック後続ビットの「０」および「１」の差は、前記修飾子後続ビットのシーケンスにおける「０」および「１」の差の負の値に等しい、請求項２６に記載の装置。
【請求項３１】  前記シーケンス修飾ユニットが、前記最終シーケンスの警告が起こる前に、前記シフトレジスタに、前記修飾子後続ビットのシーケンスの一部分またはすべてを、連続して、または間に前記フィードバック後続ビットを散在させて、前記シフトレジスタに給送し、前記最終シーケンスの警告が起こった後に残る前記修飾子後続ビットのシーケンスのすべての部分は、前記最終シーケンスの警告の後に前記シフトレジスタに連続して給送され、前記シーケンス修飾装置は第１の差および第２の差を決定し、前記第１の差は、前記開始シーケンスおよび現在のＰサブシーケンスに先行する前記Ｐサブシーケンスのフィードバック後続ビットの「０」および「１」の差であり、前記第２の差は、前記現在のＰサブシーケンスの発生時に前記シフトレジスタに入れられる前記修飾子ビットのシーケンスの「０」および「１」の差であり、前記第２の差は、前記第１の差の負の値に等しい、請求項２６に記載の装置。
【請求項３２】  前記シーケンス修飾装置が、
擬似ランダム時間間隔を示す信号を発生する擬似ランダムタイミング装置を含み、前記シーケンス修飾装置は、前記開始シーケンスの後に、かつ前記最終シーケンスの警告が起こる前に、擬似ランダム間隔で、前記修飾子後続ビットのシーケンスのすべてまたは一部分を含むビットを前記シフトレジスタに給送する、請求項２６に記載の装置。
【請求項３３】  前記シーケンス修飾装置が、
第２のビットシーケンスを与える第２のビットシーケンス分析器を含み、前記シーケンス修飾装置は、前記主ビットシーケンスを修飾するために前記第２のビットシーケンスを利用する、請求項２３に記載の装置。
【請求項３４】  前記シーケンス修飾装置が、前記第２のビットシーケンスの次の各ビットのモジュロ２和と、前記主ビットシーケンスの次の各Ｐサブシーケンスのビットと
を、出力ポートに与える、請求項３３に記載の装置。
【請求項３５】  前記第２のビットシーケンス分析器が、第２の分析シーケンスにアクセスし、前記第２の分析シーケンスは、前記第２のビットシーケンスからの最新の複数のビットであり、前記第２のビットシーケンスは、隣接した複数のＳサブシーケンスを含み、前記各Ｓシーケンスは開始シーケンスで始まり、前記第２のビットシーケンス分析器は、前記第２の分析シーケンスからフィードバックビットを導出し、前記シーケンス修飾装置は、前記第２の分析シーケンスに後続する後続ビットを前記第２のビットシーケンス分析器に供給し、前記後続ビットは、前記第２のビットシーケンス分析器によって導出されたフィードバックビットまたは修飾子ビットであり、前記修飾子ビットは、前記シーケンス修飾装置に格納された予め定められたビットまたは前記シーケンス修飾装置によって導出されたビットである、請求項３３に記載の装置。
【請求項３６】  前記第２のビットシーケンスが、前記シーケンス修飾装置が前記後続ビットとして前記第２のビットシーケンス分析器に前記フィードバックビットを連続して与える場合に、反復するｎシーケンスである、請求項３５に記載の装置。
【請求項３７】  前記第２のビットシーケンスが、前記シーケンス修飾装置が前記後続ビットとして前記第２のビットシーケンス分析器に前記フィードバックビットを連続して供給する場合に、反復する複数のｍシーケンスのモジュロ２和である、請求項３５に記載の装置。
【請求項３８】  前記第２のビットシーケンス分析器が、
前記第２の分析シーケンスを格納するためのシフトレジスタを含み、前記シフトレジスタは、前記シフトレジスタの内容がシフトされるときに、前記シーケンス修飾装置から後続ビットを受け、前記シフトレジスタの第１の段に入れるための入力ポートと、前記シフトレジスタの最後の段の内容を読出すための出力ポートとを有し、前記第２の分析シーケンスの最も古いビットは前記出力ポートで利用可能であり、前記装置はさらに
前記シーケンス修飾装置に与えられる前記フィードバックビットを発生するためのフィードバックビット発生器を含み、前記フィードバックビットは、前記シフトレジスタの内容から導出され、さらに
前記最終シーケンスが前記シフトレジスタで検出されるときに最終シーケンスの警告を発生する最終シーケンス検出器を含む、請求項３５に記載の装置。
【請求項３９】  前記シフトレジスタが並列入力ポートであり、前記シーケンス修飾装置が、前記シフトレジスタへの前記開始シーケンスの並列入力を行ない、その後前記後続ビットのシーケンスの直列入力を行ない、前記後続ビットのシーケンスの各々は、前記最終シーケンスの警告が起こる前のフィードバックビットである、請求項３８に記載の装置。
【請求項４０】  前記最終シーケンスの警告が起こった後の前記後続ビットが、０またはそれ以上の修飾子ビットのシーケンスであり、前記シーケンス修飾装置は、前記０またはそれ以上の修飾子ビットのシーケンスの後に前記シフトレジスタに前記開始シーケンスを入れる、請求項３８に記載の装置。
【請求項４１】  前記シーケンス修飾装置が、前記最終シーケンスの警告が起こる前に、連続して、または間に前記フィードバック後続ビットを散在させて、前記修飾子後続ビットのシーケンスを前記シフトレジスタに給送し、前記最終シーケンスの警告が起こった後に残っている前記修飾子後続ビットのシーケンスのすべての部分は、前記最終シーケンスの警告後に前記シフトレジスタに連続して給送される、請求項３８に記載の装置。
【請求項４２】  前記シーケンス修飾装置が、前記最終シーケンスの警告前に前記シフトレジスタに前記フィードバック後続ビットのみを給送し、前記最終シーケンスの警告後に前記シフトレジスタに前記修飾子後続ビットのみを給送し、前記開始シーケンスおよび前記Ｓサブシーケンスにおける前記フィードバック後続ビットの「０」および「１」の差は、前記修飾子後続ビットのシーケンスの「０」および「１」の差の負の値である、請求項３８に記載の装置。
【請求項４３】  前記シーケンス修飾装置が、前記最終シーケンスの警告が起こる前
に、前記修飾子後続ビットのシーケンスの一部分またはすべてを、連続して、または間に前記フィードバック後続ビットを散在させて、前記シフトレジスタに給送し、前記最終シーケンスの警告が起こった後に残っている前記修飾子後続ビットのシーケンスのすべての部分は、前記最終シーケンスの警告後に前記シフトレジスタに連続して給送され、前記シーケンス修飾装置は第１の差と第２の差とを決定し、前記第１の差は前記開始シーケンスおよび現在の前記Ｓサブシーケンスに先行する前記Ｓサブシーケンスのフィードバック後続ビットの「０」および「１」の差であり、前記第２の差は、前記現在のＳサブシーケンスの発生時に前記シフトレジスタに入れられる前記修飾子ビットのシーケンスの「０」および「１」の差であり、前記第２の差は、前記第１の差の負の値に等しい、請求項３８に記載の装置。
【請求項４４】  前記シーケンス修飾装置が、
擬似ランダム時間間隔を示す信号を発生する擬似ランダムタイミング装置を含み、前記シーケンス修飾装置は、前記開始シーケンスの後に、かつ前記最終シーケンスの警告が起こる前に、擬似ランダム間隔で前記シフトレジスタに前記修飾子後続ビットのシーケンスのすべてまたは一部分を含むビットを給送する、請求項３８に記載の装置。
【請求項４５】  前記シーケンス修飾装置が、前記現在のＳサブシーケンスにおける後続ビットとして入れられる１つまたはそれ以上の修飾子ビットを決定するために、前記現在のＳサブシーケンスに先行するＳサブシーケンスの統計を利用する、請求項３５に記載の装置。
【請求項４６】  前記シーケンス修飾装置が、前記現在のＰサブシーケンスにおける後続ビットとして入れられる１つまたはそれ以上の修飾子ビットを決定するために、前記現在のＰサブシーケンスに先行するＰサブシーケンスの統計を利用する、請求項２３に記載の装置。
【請求項４７】  光源と、光ファイバのコイルとを含み、前記光源によって発生する光は前記光ファイバ中を伝搬し、さらに
前記光ファイバ中を伝搬する光を前記主擬似ランダムビットシーケンスで変調するための変調器と、
前記光ファイバ中を進行する光から前記コイルの回転を決定するためのプロセッサとを含む、請求項２３に記載の装置。